【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
送信機で、特定の帯域幅で動作するサブ１ギガヘルツワイヤレスネットワークを介してパケットを通信する際に使用するトーンスケーリングパラメータを選択することと、ここにおいて前記トーンスケーリングパラメータは、前記パケットのフレームフォーマットおよび前記特定の帯域幅に少なくとも部分的に基づいて選択され、前記フレームフォーマットは、シングルユーザフレームフォーマットまたはマルチユーザフレームフォーマットを含む、
前記パケットを生成することと、ここにおいて、前記パケットを生成することは、前記選択されたトーンスケーリングパラメータに従って前記パケットのフィールドをスケーリングすることを備える、
前記送信機から受信機に前記パケットを送ることと
を備え、前記フレームフォーマットが、前記シングルユーザフレームフォーマットであるとき、前記選択されたトーンスケーリングパラメータは、１メガヘルツよりも大きい複数の帯域幅のうちの少なくとも１つのためのデータ部分トーンスケーリングパラメータとは異なる信号フィールド（ＳＩＧ）トーンスケーリングパラメータを含み、前記フレームフォーマットが前記マルチユーザフレームフォーマットであるとき、前記選択されたトーンスケーリングパラメータは、
１メガヘルツよりも大きい前記複数の帯域幅の各々のための前記データ部分トーンスケーリングパラメータとは異なる信号Ａフィールド（ＳＩＧ−Ａ）トーンスケーリングパラメータと、
１メガヘルツよりも大きい前記複数の帯域幅の各々のための前記データ部分トーンスケーリングパラメータと同じである信号Ｂフィールド（ＳＩＧ−Ｂ）トーンスケーリングパラメータと
を含む、
方法。
【請求項２】
前記サブ１ギガヘルツワイヤレスネットワークは、電気電子技術者協会（ＩＥＥＥ）８０２．１１ａｈプロトコルに従って動作する、
請求項１に記載の方法。
【請求項３】
前記トーンスケーリングパラメータは、
前記フレームフォーマットが前記シングルユーザフレームフォーマットであるとき、
ショートトレーニングフィールド（ＳＴＦ）トーンスケーリングパラメータと、
ロングトレーニングフィールド（ＬＴＦ）トーンスケーリングパラメータと、
前記ＳＩＧトーンスケーリングパラメータと、
前記データ部分トーンスケーリングパラメータと、
多入力多出力ロングトレーニングフィールド（ＭＩＭＯ−ＬＴＦ）トーンスケーリングパラメータと
を含む、
請求項１に記載の方法。
【請求項４】
前記トーンスケーリングパラメータは、１メガヘルツよりも大きい前記複数の帯域幅の各々に対して、
前記フレームフォーマットが前記マルチユーザフレームフォーマットであるとき、
ショートトレーニングフィールド（ＳＴＦ）トーンスケーリングパラメータと、
ロングトレーニングフィールド（ＬＴＦ）トーンスケーリングパラメータと、
前記ＳＩＧ−Ａトーンスケーリングパラメータと、
前記ＳＩＧ−Ｂトーンスケーリングパラメータと、
前記データ部分トーンスケーリングパラメータと、
マルチユーザショートトレーニングフィールド（ＭＵ−ＳＴＦ）トーンスケーリングパラメータと、
多入力多出力ロングトレーニングフィールド（ＭＩＭＯ−ＬＴＦ）トーンスケーリングパラメータと
を含む、
請求項１に記載の方法。
【請求項５】
前記トーンスケーリングパラメータは、使用中の空間ストリームの数に基づいてさらに選択される、
請求項１に記載の方法。
【請求項６】
サブ１ギガヘルツワイヤレスネットワークを介した通信中に使用する１つまたは複数のデータ構造を記憶する非一時的プロセッサ可読媒体であって、前記１つまたは複数のデータ構造は、シングルユーザフレームフォーマットおよびマルチユーザフレームフォーマットのためのトーンスケーリングパラメータを示し、
前記トーンスケーリングパラメータは、前記シングルユーザフレームフォーマットに対して、
ショートトレーニングフィールド（ＳＴＦ）トーンスケーリングパラメータと、
ロングトレーニングフィールド（ＬＴＦ）トーンスケーリングパラメータと、
信号フィールド（ＳＩＧ）トーンスケーリングパラメータと、
データ部分トーンスケーリングパラメータと、
多入力多出力ロングトレーニングフィールド（ＭＩＭＯ−ＬＴＦ）トーンスケーリングパラメータと
を含み、前記ＳＩＧトーンスケーリングパラメータは、１メガヘルツよりも大きい前記サブ１ギガヘルツワイヤレスネットワークの複数の帯域幅のうちの少なくとも１つのための前記データ部分トーンスケーリングパラメータとは異なり、
前記トーンスケーリングパラメータは、１メガヘルツよりも大きい前記サブ１ギガヘルツワイヤレスネットワークの前記複数の帯域幅のための前記マルチユーザフレームフォーマットに対して、
前記ＳＴＦトーンスケーリングパラメータと、
前記ＬＴＦトーンスケーリングパラメータと、
信号Ａフィールド（ＳＩＧ−Ａ）トーンスケーリングパラメータと、
信号Ｂフィールド（ＳＩＧ−Ｂ）トーンスケーリングパラメータと、
前記データ部分トーンスケーリングパラメータと、
マルチユーザショートトレーニングフィールド（ＭＵ−ＳＴＦ）トーンスケーリングパラメータと、
前記ＭＩＭＯ−ＬＴＦトーンスケーリングパラメータと
を含み、前記ＳＩＧ−Ａトーンスケーリングパラメータは、１メガヘルツよりも大きい前記複数の帯域幅の各々のための前記データ部分トーンスケーリングパラメータとは異なり、前記ＳＩＧ−Ｂトーンスケーリングパラメータは、１メガヘルツよりも大きい前記複数の帯域幅の各々のための前記データ部分トーンスケーリングパラメータと同じである、
非一時的プロセッサ可読媒体。
【請求項７】
前記１つまたは複数のデータ構造は、前記帯域幅が１メガヘルツであるとき、前記シングルユーザフレームフォーマットに対して、
前記ＳＴＦトーンスケーリングパラメータが６に等しいことと、
前記ＬＴＦトーンスケーリングパラメータ、前記ＳＩＧトーンスケーリングパラメータ、前記データ部分トーンスケーリングパラメータ、および前記ＭＩＭＯ−ＬＴＦトーンスケーリングパラメータが、各々２６に等しいことと
を示す、請求項６に記載の非一時的プロセッサ可読媒体。
【請求項８】
前記１つまたは複数のデータ構造は、前記帯域幅が２メガヘルツであるとき、前記シングルユーザフレームフォーマットに対して、
前記ＳＴＦトーンスケーリングパラメータが１２に等しいことと、
前記ＬＴＦトーンスケーリングパラメータ、前記データ部分トーンスケーリングパラメータ、および前記ＭＩＭＯ−ＬＴＦトーンスケーリングパラメータが、各々５６に等しいことと、
前記ＳＩＧトーンスケーリングパラメータが５２に等しいことと
を示す、請求項６に記載の非一時的プロセッサ可読媒体。
【請求項９】
前記１つまたは複数のデータ構造は、前記帯域幅が４メガヘルツであるとき、前記シングルユーザフレームフォーマットに対して、
前記ＳＴＦトーンスケーリングパラメータが２４に等しいことと、
前記ＬＴＦトーンスケーリングパラメータ、前記データ部分トーンスケーリングパラメータ、および前記ＭＩＭＯ−ＬＴＦトーンスケーリングパラメータが、各々１１４に等しいことと、
前記ＳＩＧトーンスケーリングパラメータが１０４に等しいことと
を示す、請求項６に記載の非一時的プロセッサ可読媒体。
【請求項１０】
前記１つまたは複数のデータ構造は、前記帯域幅が８メガヘルツであるとき、前記シングルユーザフレームフォーマットに対して、
前記ＳＴＦトーンスケーリングパラメータが４８に等しいことと、
前記ＬＴＦトーンスケーリングパラメータ、前記データ部分トーンスケーリングパラメータ、および前記ＭＩＭＯ−ＬＴＦトーンスケーリングパラメータが、各々２４２に等しいことと、
前記ＳＩＧトーンスケーリングパラメータが２０８に等しいことと
を示す、請求項６に記載の非一時的プロセッサ可読媒体。
【請求項１１】
前記１つまたは複数のデータ構造は、前記帯域幅が１６メガヘルツであるとき、前記シングルユーザフレームフォーマットに対して、
前記ＳＴＦトーンスケーリングパラメータが９６に等しいことと、
前記ＬＴＦトーンスケーリングパラメータ、前記データ部分トーンスケーリングパラメータ、および前記ＭＩＭＯ−ＬＴＦトーンスケーリングパラメータが、各々４８４に等しいことと、
前記ＳＩＧトーンスケーリングパラメータが４１６に等しいことと
を示す、請求項６に記載の非一時的プロセッサ可読媒体。
【請求項１２】
前記１つまたは複数のデータ構造は、前記帯域幅が２メガヘルツであるとき、前記マルチユーザフレームフォーマットに対して、
前記ＳＴＦトーンスケーリングパラメータおよび前記ＭＵ−ＳＴＦトーンスケーリングパラメータが、各々１２に等しいことと、
前記ＬＴＦトーンスケーリングパラメータ、前記ＭＩＭＯ−ＬＴＦトーンスケーリングパラメータ、前記ＳＩＧーＢトーンスケーリングパラメータ、および前記データ部分トーンスケーリングパラメータが、各々５６に等しいことと、
前記ＳＩＧ−Ａトーンスケーリングパラメータが５２に等しいことと
を示す、請求項６に記載の非一時的プロセッサ可読媒体。
【請求項１３】
前記１つまたは複数のデータ構造は、前記帯域幅が４メガヘルツであるとき、前記マルチユーザフレームフォーマットに対して、
前記ＳＴＦトーンスケーリングパラメータおよび前記ＭＵ−ＳＴＦトーンスケーリングパラメータが、各々２４に等しいことと、
前記ＬＴＦトーンスケーリングパラメータ、前記ＭＩＭＯ−ＬＴＦトーンスケーリングパラメータ、前記ＳＩＧーＢトーンスケーリングパラメータ、および前記データ部分トーンスケーリングパラメータが、各々１１４に等しいことと、
前記ＳＩＧ−Ａトーンスケーリングパラメータが１０４に等しいことと
を示す、請求項６に記載の非一時的プロセッサ可読媒体。
【請求項１４】
前記１つまたは複数のデータ構造は、前記帯域幅が８メガヘルツであるとき、前記マルチユーザフレームフォーマットに対して、
前記ＳＴＦトーンスケーリングパラメータおよび前記ＭＵ−ＳＴＦトーンスケーリングパラメータが、各々４８に等しいことと、
前記ＬＴＦトーンスケーリングパラメータ、前記ＭＩＭＯ−ＬＴＦトーンスケーリングパラメータ、前記ＳＩＧーＢトーンスケーリングパラメータ、および前記データ部分トーンスケーリングパラメータが、各々２４２に等しいことと、
前記ＳＩＧ−Ａトーンスケーリングパラメータが２０８に等しいことと
を示す、請求項６に記載の非一時的プロセッサ可読媒体。
【請求項１５】
前記１つまたは複数のデータ構造は、前記帯域幅が１６メガヘルツであるとき、前記マルチユーザフレームフォーマットに対して、
前記ＳＴＦトーンスケーリングパラメータおよび前記ＭＵ−ＳＴＦトーンスケーリングパラメータが、各々９６に等しいことと、
前記ＬＴＦトーンスケーリングパラメータ、前記ＭＩＭＯ−ＬＴＦトーンスケーリングパラメータ、前記ＳＩＧーＢトーンスケーリングパラメータ、および前記データ部分トーンスケーリングパラメータが、各々４８４に等しいことと、
前記ＳＩＧ−Ａトーンスケーリングパラメータが４１６に等しいことと
を示す、請求項６に記載の非一時的プロセッサ可読媒体。
【請求項１６】
サブ１ギガヘルツワイヤレスネットワークの複数のフレームフォーマットのためのトーンスケーリングパラメータを示す１つまたは複数のデータ構造を記憶するメモリと、ここで、前記複数のフレームフォーマットは、シングルユーザフレームフォーマットまたはマルチユーザフレームフォーマットを含む、
前記メモリに結合されたプロセッサと
を備え、前記プロセッサは、
特定の帯域幅で動作する前記サブ１ギガヘルツワイヤレスネットワークを介してパケットを通信する際に使用する１つまたは複数のトーンスケーリングパラメータを選択することと、ここにおいて、前記１つまたは複数のトーンスケーリングパラメータは、前記パケットのフレームフォーマットおよび前記特定の帯域幅に少なくとも部分的に基づいて選択される、
前記パケットを生成することと
を行うように構成され、前記パケットを生成することは、前記１つまたは複数のトーンスケーリングパラメータに従って前記パケットの１つまたは複数のフィールドをスケーリングすることを備え、前記フレームフォーマットが、前記シングルユーザフレームフォーマットであるとき、前記選択されたトーンスケーリングパラメータは、１メガヘルツよりも大きい複数の帯域幅のうちの少なくとも１つのためのデータ部分トーンスケーリングパラメータとは異なる信号フィールド（ＳＩＧ）トーンスケーリングパラメータを含み、前記フレームフォーマットが前記マルチユーザフレームフォーマットであるとき、前記選択されたトーンスケーリングパラメータは、
１メガヘルツよりも大きい前記複数の帯域幅の各々のための前記データ部分トーンスケーリングパラメータとは異なる信号Ａフィールド（ＳＩＧ−Ａ）トーンスケーリングパラメータと、
１メガヘルツよりも大きい前記複数の帯域幅の各々のための前記データ部分トーンスケーリングパラメータと同じである信号Ｂフィールド（ＳＩＧ−Ｂ）トーンスケーリングパラメータと
を含む、
装置。
【請求項１７】
前記サブ１ギガヘルツワイヤレスネットワークは、電気電子技術者協会（ＩＥＥＥ）８０２．１１ａｈプロトコルに従って動作する、
請求項１６に記載の装置。
【請求項１８】
サブ１ギガヘルツワイヤレスネットワークを介した通信中に使用する１つまたは複数のデータ構造を記憶するための手段と、ここにおいて、前記１つまたは複数のデータ構造は、シングルユーザフレームフォーマットおよびマルチユーザフレームフォーマットのためのトーンスケーリングパラメータを示す、
パケットのフレームフォーマットおよび前記サブ１ギガヘルツワイヤレスネットワークの動作帯域幅に少なくとも部分的に基づいて、前記１つまたは複数のデータ構造から１つまたは複数のトーンスケーリングパラメータを選択するための手段と
を備え、前記フレームフォーマットが、前記シングルユーザフレームフォーマットであるとき、前記選択されたトーンスケーリングパラメータは、１メガヘルツよりも大きい複数の帯域幅のうちの少なくとも１つのためのデータ部分トーンスケーリングパラメータとは異なる信号フィールド（ＳＩＧ）トーンスケーリングパラメータを含み、前記フレームフォーマットが前記マルチユーザフレームフォーマットであるとき、前記選択されたトーンスケーリングパラメータは、
１メガヘルツよりも大きい前記複数の帯域幅の各々のための前記データ部分トーンスケーリングパラメータとは異なる信号Ａフィールド（ＳＩＧ−Ａ）トーンスケーリングパラメータと、
１メガヘルツよりも大きい前記複数の帯域幅の各々のための前記データ部分トーンスケーリングパラメータと同じである信号Ｂフィールド（ＳＩＧ−Ｂ）トーンスケーリングパラメータと
を含む、
装置。
【手続補正２】
【補正対象書類名】明細書
【補正対象項目名】００８２
【補正方法】変更
【補正の内容】
【００８２】
[0092]開示された実施形態の上記の説明は、当業者が開示された実施形態を作成し使用することを可能にするために提供される。これらの実施形態に対する様々な修正形態は、当業者には容易に明らかであり、本明細書で定義された原理は、本開示の範囲から逸脱することなく他の実施形態に適用することができる。したがって、本開示は、本明細書で開示された実施形態に限定されるものではなく、以下の特許請求の範囲によって定義されるような原理および新規の特徴に一致する、可能な最大の範囲を与えられるべきである。
以下に、本願出願の当初の特許請求の範囲に記載された発明を付記する。
［Ｃ１］
送信機で、特定の帯域幅で動作するサブ１ギガヘルツワイヤレスネットワークを介してパケットを通信する際に使用する１つまたは複数のトーンスケーリングパラメータを選択することと、ここにおいて前記１つまたは複数のトーンスケーリングパラメータは、前記パケットのフレームフォーマットおよび前記特定の帯域幅に少なくとも部分的に基づいて選択される、
前記パケットを生成することと、ここにおいて、前記パケットを生成することは、前記１つまたは複数のトーンスケーリングパラメータに従って前記パケットの１つまたは複数のフィールドをスケーリングすることを備える、
前記送信機から受信機に前記パケットを送ることと
を備える、方法。
［Ｃ２］
前記サブ１ギガヘルツワイヤレスネットワークは、電気電子技術者協会（ＩＥＥＥ）８０２．１１ａｈプロトコルに従って動作する、
Ｃ１に記載の方法。
［Ｃ３］
前記１つまたは複数のトーンスケーリングパラメータは、複数の帯域幅の各々に対して、
前記フレームフォーマットがシングルユーザフレームフォーマットであるとき、
ショートトレーニングフィールド（ＳＴＦ）トーンスケーリングパラメータと、
ロングトレーニングフィールド（ＬＴＦ）トーンスケーリングパラメータと、
信号フィールド（ＳＩＧ）トーンスケーリングパラメータと、
データ部分トーンスケーリングパラメータと、
多入力多出力ロングトレーニングフィールド（ＭＩＭＯ−ＬＴＦ）トーンスケーリングパラメータと
を含む、
Ｃ１に記載の方法。
［Ｃ４］
前記ＳＩＧトーンスケーリングパラメータは、前記複数の帯域幅の少なくとも１つのための前記データ部分トーンスケーリングパラメータと異なる、
Ｃ３に記載の方法。
［Ｃ５］
前記１つまたは複数のトーンスケーリングパラメータは、１メガヘルツよりも大きい複数の帯域幅の各々に対して、
前記フレームフォーマットがシングルユーザフレームフォーマットであるとき、
ショートトレーニングフィールド（ＳＴＦ）トーンスケーリングパラメータと、
ロングトレーニングフィールド（ＬＴＦ）トーンスケーリングパラメータと、
信号Ａフィールド（ＳＩＧ−Ａ）トーンスケーリングパラメータと、
信号Ｂフィールド（ＳＩＧ−Ｂ）トーンスケーリングパラメータと、
データ部分トーンスケーリングパラメータと、
マルチユーザショートトレーニングフィールド（ＭＵ−ＳＴＦ）トーンスケーリングパラメータと、
多入力多出力ロングトレーニングフィールド（ＭＩＭＯ−ＬＴＦ）トーンスケーリングパラメータと
を含む、
Ｃ１に記載の方法。
［Ｃ６］
前記ＳＩＧ−Ａトーンスケーリングパラメータは、１メガヘルツよりも大きい前記複数の帯域幅の少なくとも１つのための前記データ部分トーンスケーリングパラメータと異なる、
Ｃ５に記載の方法。
［Ｃ７］
前記ＳＩＧ−Ｂトーンスケーリングパラメータは、１メガヘルツよりも大きい前記複数の帯域幅の各々のための前記データ部分トーンスケーリングパラメータと同じである、Ｃ５に記載の方法。
［Ｃ８］
サブ１ギガヘルツワイヤレスネットワークを介した通信中に使用する１つまたは複数のデータ構造を記憶する非一時的プロセッサ可読媒体であって、前記１つまたは複数のデータ構造は、シングルユーザフレームフォーマットおよびマルチユーザフレームフォーマットのためのトーンスケーリングパラメータを示し、
前記シングルユーザフレームフォーマットの場合、前記トーンスケーリングパラメータは、
ショートトレーニングフィールド（ＳＴＦ）トーンスケーリングパラメータと、
ロングトレーニングフィールド（ＬＴＦ）トーンスケーリングパラメータと、
信号フィールド（ＳＩＧ）トーンスケーリングパラメータと、
データ部分トーンスケーリングパラメータと、
多入力多出力ロングトレーニングフィールド（ＭＩＭＯ−ＬＴＦ）トーンスケーリングパラメータと
を含み、
前記トーンスケーリングパラメータは、１メガヘルツよりも大きい前記サブ１ギガヘルツワイヤレスネットワークの帯域幅のための前記マルチユーザフレームフォーマットに対して、
前記ＳＴＦトーンスケーリングパラメータと、
前記ＬＴＦトーンスケーリングパラメータと、
信号Ａフィールド（ＳＩＧ−Ａ）トーンスケーリングパラメータと、
信号Ｂフィールド（ＳＩＧ−Ｂ）トーンスケーリングパラメータと、
前記データ部分トーンスケーリングパラメータと、
マルチユーザショートトレーニングフィールド（ＭＵ−ＳＴＦ）トーンスケーリングパラメータと、
前記ＭＩＭＯ−ＬＴＦトーンスケーリングパラメータと
を含む、
非一時的プロセッサ可読媒体。
［Ｃ９］
前記１つまたは複数のデータ構造は、前記帯域幅が１メガヘルツであるとき、前記シングルユーザフレームフォーマットに対して、
前記ＳＴＦトーンスケーリングパラメータが６に等しいことと、
前記ＬＴＦトーンスケーリングパラメータ、前記ＳＩＧトーンスケーリングパラメータ、前記データ部分トーンスケーリングパラメータ、および前記ＭＩＭＯ−ＬＴＦトーンスケーリングパラメータが、各々２６に等しいことと
を示す、Ｃ８に記載の非一時的プロセッサ可読媒体。
［Ｃ１０］
前記１つまたは複数のデータ構造は、前記帯域幅が２メガヘルツであるとき、前記シングルユーザフレームフォーマットに対して、
前記ＳＴＦトーンスケーリングパラメータが１２に等しいことと、
前記ＬＴＦトーンスケーリングパラメータ、前記データ部分トーンスケーリングパラメータ、および前記ＭＩＭＯ−ＬＴＦトーンスケーリングパラメータが、各々５６に等しいことと、
前記ＳＩＧトーンスケーリングパラメータが５２に等しいことと
を示す、Ｃ８に記載の非一時的プロセッサ可読媒体。
［Ｃ１１］
前記１つまたは複数のデータ構造は、前記帯域幅が４メガヘルツであるとき、前記シングルユーザフレームフォーマットに対して、
前記ＳＴＦトーンスケーリングパラメータが２４に等しいことと、
前記ＬＴＦトーンスケーリングパラメータ、前記データ部分トーンスケーリングパラメータ、および前記ＭＩＭＯ−ＬＴＦトーンスケーリングパラメータが、各々１１４に等しいことと、
前記ＳＩＧトーンスケーリングパラメータが１０４に等しいことと
を示す、Ｃ８に記載の非一時的プロセッサ可読媒体。
［Ｃ１２］
前記１つまたは複数のデータ構造は、前記帯域幅が８メガヘルツであるとき、前記シングルユーザフレームフォーマットに対して、
前記ＳＴＦトーンスケーリングパラメータが４８に等しいことと、
前記ＬＴＦトーンスケーリングパラメータ、前記データ部分トーンスケーリングパラメータ、および前記ＭＩＭＯ−ＬＴＦトーンスケーリングパラメータが、各々２４２に等しいことと、
前記ＳＩＧトーンスケーリングパラメータが２０８に等しいことと
を示す、Ｃ８に記載の非一時的プロセッサ可読媒体。
［Ｃ１３］
前記１つまたは複数のデータ構造は、前記帯域幅が１６メガヘルツであるとき、前記シングルユーザフレームフォーマットに対して、
前記ＳＴＦトーンスケーリングパラメータが９６に等しいことと、
前記ＬＴＦトーンスケーリングパラメータ、前記データ部分トーンスケーリングパラメータ、および前記ＭＩＭＯ−ＬＴＦトーンスケーリングパラメータが、各々４８４に等しいことと、
前記ＳＩＧトーンスケーリングパラメータが４１６に等しいことと
を示す、Ｃ８に記載の非一時的プロセッサ可読媒体。
［Ｃ１４］
前記１つまたは複数のデータ構造は、前記帯域幅が２メガヘルツであるとき、前記マルチユーザフレームフォーマットに対して、
前記ＳＴＦトーンスケーリングパラメータおよび前記ＭＵ−ＳＴＦトーンスケーリングパラメータが、各々１２に等しいことと、
前記ＬＴＦトーンスケーリングパラメータ、前記ＭＩＭＯ−ＬＴＦトーンスケーリングパラメータ、前記ＳＩＧーＢトーンスケーリングパラメータ、および前記データ部分トーンスケーリングパラメータが、各々５６に等しいことと、
前記ＳＩＧ−Ａトーンスケーリングパラメータが５２に等しいことと
を示す、Ｃ８に記載の非一時的プロセッサ可読媒体。
［Ｃ１５］
前記１つまたは複数のデータ構造は、前記帯域幅が４メガヘルツであるとき、前記マルチユーザフレームフォーマットに対して、
前記ＳＴＦトーンスケーリングパラメータおよび前記ＭＵ−ＳＴＦトーンスケーリングパラメータが、各々２４に等しいことと、
前記ＬＴＦトーンスケーリングパラメータ、前記ＭＩＭＯ−ＬＴＦトーンスケーリングパラメータ、前記ＳＩＧーＢトーンスケーリングパラメータ、および前記データ部分トーンスケーリングパラメータが、各々１１４に等しいことと、
前記ＳＩＧ−Ａトーンスケーリングパラメータが１０４に等しいことと
を示す、Ｃ８に記載の非一時的プロセッサ可読媒体。
［Ｃ１６］
前記１つまたは複数のデータ構造は、前記帯域幅が８メガヘルツであるとき、前記マルチユーザフレームフォーマットに対して、
前記ＳＴＦトーンスケーリングパラメータおよび前記ＭＵ−ＳＴＦトーンスケーリングパラメータが、各々４８に等しいことと、
前記ＬＴＦトーンスケーリングパラメータ、前記ＭＩＭＯ−ＬＴＦトーンスケーリングパラメータ、前記ＳＩＧーＢトーンスケーリングパラメータ、および前記データ部分トーンスケーリングパラメータが、各々２４２に等しいことと、
前記ＳＩＧ−Ａトーンスケーリングパラメータが２０８に等しいことと
を示す、Ｃ８に記載の非一時的プロセッサ可読媒体。
［Ｃ１７］
前記１つまたは複数のデータ構造は、前記帯域幅が２メガヘルツであるとき、前記マルチユーザフレームフォーマットに対して、
前記ＳＴＦトーンスケーリングパラメータおよび前記ＭＵ−ＳＴＦトーンスケーリングパラメータが、各々９６に等しいことと、
前記ＬＴＦトーンスケーリングパラメータ、前記ＭＩＭＯ−ＬＴＦトーンスケーリングパラメータ、前記ＳＩＧーＢトーンスケーリングパラメータ、および前記データ部分トーンスケーリングパラメータが、各々４８４に等しいことと、
前記ＳＩＧ−Ａトーンスケーリングパラメータが４１６に等しいことと
を示す、Ｃ８に記載の非一時的プロセッサ可読媒体。
［Ｃ１８］
サブ１ギガヘルツワイヤレスネットワークの複数のフレームフォーマットのためのトーンスケーリングパラメータを示す１つまたは複数のデータ構造を記憶するメモリと、
前記メモリに結合されたプロセッサと
を備え、前記プロセッサは、
特定の帯域幅で動作する前記サブ１ギガヘルツワイヤレスネットワークを介してパケットを通信する際に使用する１つまたは複数のトーンスケーリングパラメータを選択することと、ここにおいて、前記１つまたは複数のトーンスケーリングパラメータは、前記パケットのフレームフォーマットおよび前記特定の帯域幅に少なくとも部分的に基づいて選択される、
前記パケットを生成することと
を行うように構成され、前記パケットを生成することは、前記１つまたは複数のトーンスケーリングパラメータに従って前記パケットの１つまたは複数のフィールドをスケーリングすることを備える、
装置。
［Ｃ１９］
前記サブ１ギガヘルツワイヤレスネットワークは、電気電子技術者協会（ＩＥＥＥ）８０２．１１ａｈプロトコルに従って動作する、
Ｃ１８に記載の装置。
［Ｃ２０］
サブ１ギガヘルツワイヤレスネットワークを介した通信中に使用する１つまたは複数のデータ構造を記憶するための手段と、ここにおいて、前記１つまたは複数のデータ構造は、シングルユーザフレームフォーマットおよびマルチユーザフレームフォーマットのためのトーンスケーリングパラメータを示す、
パケットのフレームフォーマットおよび前記サブ１ギガヘルツワイヤレスネットワークの動作帯域幅に少なくとも部分的に基づいて、前記１つまたは複数のデータ構造から１つまたは複数のトーンスケーリングパラメータを選択するための手段と
を備える、装置。